(57)【要約】      （修正有）【課題】塗布ムラや塗布もれを生じず、細かい部分にも塗布が容易であり、頭皮に塗布することがなく、自然な仕上がりになるうえ、塗布が容易で時間がかからないヘアカラー剤の塗布具を提供する。【解決手段】ヘアカラー剤７を塗布するヘアカラー剤塗布具であって、使用者が把持できる柄２と、柄２の先端部４に弾性を有する複数の毛からなる毛束６を一定間隔で植毛して複数の列を形成した植毛部５とからなり、植毛部５の列と列の間の各毛束６の根本部分にヘアカラー剤７を付着させるようにした。【選択図】図２
0003214364.tif 000002
【実用新案登録請求の範囲】
【請求項１】
ヘアカラー剤を塗布するヘアカラー剤塗布具であって、
使用者が把持できる柄と、
前記柄の先端部に弾性を有する複数の毛からなる毛束を一定間隔で植毛して複数の列を形成した植毛部とからなり、
前記植毛部の列と列の間の各毛束の根本部分にヘアカラー剤を付着させることが可能な構成であることを特徴とするヘアカラー剤塗布具。
【請求項２】
前記先端部を、前記柄の手元側に位置する第１部分と、該第１部分より先端側に位置し、前記第１部分より幅が狭く、前記第１部分より植毛部の列が少ない第２部分とで構成したことを特徴とする請求項１に記載のヘアカラー剤塗布具。
【請求項３】
前記複数の列の間の前記先端部上に、前記ヘアカラー剤を溜める凹部を設けたことを特徴とする請求項１又は２に記載のヘアカラー剤塗布具。
【請求項４】
前記凹部は、前記植毛部の全体が含まれるように設けたことを特徴とする請求項３に記載のヘアカラー剤塗布具。
【請求項５】
前記稙毛部の中央部に位置する毛束の高さが両端部に位置する毛束の高さより低くされていることを特徴とする請求項１から４のいずれかに記載のヘアカラー剤塗布具。
【請求項６】
前記稙毛部に高さが前記毛束より高いガイド棒を設けたことを特徴とする請求項１から５のいずれかに記載のヘアカラー剤塗布具。
【請求項７】
前記第２部分が前記植毛部と反対側に屈曲又は湾曲するように形成されていることを特徴とする請求項２に記載のヘアカラー剤塗布具。
【考案の詳細な説明】
【技術分野】
【０００１】
本考案は、ヘアカラー剤塗布具に関する。
【背景技術】
【０００２】
ヘアカラー施術は、毛髪内部を酸化発色させて半永久的に色を変えるヘアダイ、ブリーチなどの「染毛剤」（医薬部外品分類）を使用する方法と、毛髪表面に色を載せて一時的に色を変えるヘアマニキュアやカラートリートメントなどの「着色料」（化粧品分類）を使用する方法に大別される。着色料には、塗布して一定時間放置した後に水洗いする「洗い流すタイプ」と、塗布したままで洗い流す必要がない「洗い流さないタイプ」がある。本考案は、染毛剤、着色料を使用してヘアカラーを施術する場合の問題を解決するものである。その問題とは、(a)塗布ムラや塗布もれを生じる、(b)細かい部分の塗布がしにくい、(c)頭皮に塗布してしまう、(d)毛髪がヘアカラーで固まり、不自然な仕上がりになる、(e)塗布するのに時間がかかる、などがある。ただし、水洗して使用する染毛剤や洗い流すタイプの着色料は(d)は問題にならず、頭皮に付いても着色しにくい染毛剤は(c)も問題にならない。よって、洗い流さないタイプの着色料が使用上の問題が最も幅広いものであり、考案の成果が最も高い。つまり、洗い流さないタイプの着色料の問題を解決することが、その他のヘアカラー施術全般の問題解決につながることとなる。
【０００３】
染毛剤及び「洗い流すタイプ」の着色料は、全体的な毛髪を半永久もしくは長期間に色を変えるのに使用されることが多い。それらを塗布する塗布具としては、従来、ハケ、くしなどが使用されている。また、「洗い流さないタイプ」の着色料は、部分的な白毛髪を一時的に隠すのに使用されることが多い。着色料を毛髪に塗布する塗布具としては、従来、マスカラ、筆、くし、固形ファンデーションなど種々のものが使用されている。
【０００４】
マスカラタイプは、例えば特許文献１に示すように、着色料が入った容器の蓋の内側に小さなブラシを一体に設けたもので、マスカラのように、ブラシを容器に入れて着色料を付着させて毛髪の必要な部分に塗布する。マスカラタイプは、塗布部分がきわめて小さいため、細かい部分への塗布がしやすく、頭皮につかないように塗布できるうえ、仕上がりが自然であり、一体型で使いやすい。しかし、毛髪の広い範囲を塗布するのに時間がかかり、塗布ムラができやすく、また容器内の着色料が少なくなると使いづらくなる。
【０００５】
筆タイプは、着色料を入れた容器の口部を筆状部材で閉塞したもので、容器の後部をノックして容器内部の着色料を筆先部分に流出させて毛髪に塗布する。筆タイプは、塗布部分が大きいうえ、毛の数が多いので広い範囲を一気に塗ることができ、一体型でノックするだけで着色料が出るため、手が汚れず使いやすい。しかし、細かい部分への塗布が難しく、毛髪束の裏には塗布しにくく全体的に塗布ムラができやすい。また、毛髪が束の状態で固まって自然に仕上がりにくい。さらに、塗布量の調整がしにくいので細毛・薄毛には頭皮に誤って着色しやすい。
【０００６】
くしタイプは、例えば特許文献２に示すように、着色料を入れた容器の口部を筆で閉塞したもので、容器の後部をノックして容器内部の着色料をくしの根本に浸み込ませて毛髪に塗布する。くしタイプは、くし先から着色料が出ないので、くし先が頭皮への着色料の付着を防止してくれるうえ、広範囲に着色料を塗ることができる。しかも、くしのように毛髪を梳かしながら着色料を塗布できるので、毛束の状態で固まることがなく、自然に仕上がる。さらに、細かい部分への塗布がしやすく、一体型で使いやすい。しかし、くしが通る部分しか塗布できず、塗布ムラができやすいし、着色料の塗布量の調整が難しい。
【０００７】
固形ファンデーションタイプは、広口浅底の容器に固形の着色料を入れてスティック又はパフ状のものですくい取って塗布するものである。固形ファンデーションタイプは、塗布部分が比較的大きいので、広い範囲を塗ることができるが、細かい部分への塗布が難しく、毛髪束の裏には塗布しにくく全体的に塗布ムラができやすい。また、細毛・薄毛には頭皮に誤って着色しやすい。さらに、面で塗布するために自然に仕上がりにくい。また、一体型でなく取扱いが不便である。
【０００８】
このように、従来の塗布具、特に「洗い流さないタイプ」の着色料の塗布具は、いずれのタイプでも、それぞれメリットがあるが、デメリットもあり、使用者に不満を抱かせるものであった。特に、白毛髪混じりの年齢層で薄毛・細毛の使用者には、いずれの塗布具でも満足のゆくヘアカラーを行うことができなかった。
【先行技術文献】
【特許文献】
【０００９】
【特許文献１】特開２０１２−２３２１０４号公報
【特許文献２】特開２００８−１０２３１９号公報
【考案の概要】
【考案が解決しようとする課題】
【００１０】
本考案は、前記従来の問題点に鑑みてなされたもので、塗布ムラや塗布もれを生じず、細かい部分にも塗布が容易であり、頭皮に塗布することがなく、自然な仕上がりになるうえ、塗布が容易で時間がかからないヘアカラー剤塗布具を提供することを課題とする。
【課題を解決するための手段】
【００１１】
前記課題を解決するために、本考案は、ヘアカラー剤を塗布する塗布具であって、
使用者が把持できる柄と、
前記柄の先端部に弾性を有する複数の毛からなる毛束を一定間隔で植毛して複数の列を形成した植毛部とからなり、
前記植毛部の列と列の間の各毛束の根本部分にヘアカラー剤を付着させることが可能な構成にした。
【００１２】
前記塗布具によれば、ヘアカラー剤を植毛部の根本部分に付着させるので、ヘアカラー剤が流れ落ちず、植毛部に保持できるうえ、使用者又は被施術者の頭皮にヘアカラー剤が塗布されることがなく、安心して塗布又は施術できる。
また、前記塗布具は、毛髪を梳かしながらヘアカラー剤を塗布できるので、毛髪が束のままの状態でヘアカラー剤が固まらず、毛髪１本１本が毛束の根本部分に付着したヘアカラー剤に触れて、自然に仕上げることができる。毛髪をスタイリングしながらヘアカラー剤を塗布することもできるので、ヘアカラー後のセットが不要であるうえ、薄毛・細毛であってもボリュームアップしたヘアデザインにすることができる。
植毛部の毛束間及び毛束の列間に適度な間隔があるため、多方向からブラッシングが可能となるうえ、塗付具を曲線的に動かしてヘアカラー剤を塗布することも可能である。
毛髪１本１本が植毛部の毛束の毛を通過してヘアカラー剤に触れるので、塗布ムラや塗布もれがない。
【００１３】
前記先端部を、前記柄の手元側に位置する第１部分と、該第１部分より先端側に位置し、前記第１部分より幅が狭く、前記第１部分より植毛部の列が少ない第２部分とで構成してもよい。この場合、植毛部の列が少ない第２部分から列が多い第１部分に向かって塗布具を動かすか、列が少ない第２部分のみで毛髪を梳くようにすることで、狭い範囲にヘアカラー剤を塗布できる。
【００１４】
前記複数の列の間の前記先端部上に、前記ヘアカラー剤を溜める凹部を設けてもよい。このようにすると、凹部にヘアカラー剤を確実に保持できるので、柄から流れ落ちるのを防止できる。
【００１５】
前記凹部は、前記植毛部の全体が含まれるように設けることができる。この場合、ヘアカラー剤を凹部の１か所から注入して、毛束の根本に行きわたらせることができる。
【考案の効果】
【００１６】
本考案によれば、塗布ムラや塗布もれを生じず、細かい部分にも塗布が容易であり、頭皮に塗布することがなく、自然な仕上がりになるうえ、塗布が容易で時間がかからないという効果を有している。
【図面の簡単な説明】
【００１７】
【図１】本考案に係るヘアカラー剤塗布具を示す正面図（a）と平面図（ｂ）である。
【図２】図１の塗布具の植毛部にヘアカラー剤を付着させる状況を示す正面図（a）と平面図（ｂ）である。
【図３】図１の塗布具を使用して毛髪にヘアカラー剤を塗布する状況を示す概略図である。
【図４】図１の塗布具を使用して毛髪にヘアカラー剤を塗布する状況を示す概略図である。
【図５】図１の塗布具の動かす方向を示す概略図（a、ｂ）と、頭皮と毛束が絡まった状況を示す概略図（ｃ）である。
【図６】一般的な塗布ブラシの正面図（a）と平面図（ｂ）である。
【図７】本考案の塗付具の変形例を示す断面図である。
【図８】本考案の塗付具の他の変形例を示す断面図である。
【図９】本考案の塗付具の他の変形例を示す断面図である。
【図１０】本考案の塗付具の他の変形例を示す断面図（a）と平面図（ｂ）である。
【図１１】本考案の塗付具の他の変形例を示す正面図である。
【図１２】本考案の塗付具の他の変形例を示す断面図（a）と正面図（ｂ）である。
【図１３】本考案の塗付具の他の変形例を示す正面図である。
【図１４】本考案の塗付具の他の変形例を示す平面図である。
【図１５】本考案の塗付具の他の変形例を示す平面図である。
【図１６】本考案の塗付具の他の変形例を示す正面図である。
【考案を実施するための形態】
【００１８】
＜ヘアカラー剤塗布具の基本構成＞
図１は、本考案の実施形態に係るヘアカラー剤塗布具１を示す。この塗布具１は、個人の使用者又は美容院などの施術者が手で把持できる柄２を有している。柄２の手元部３は、具体的には図示しないが、手で把持しやすい長さと大きさを有すればよく、その断面形状は任意に形成できる。例えば、柄２を手元部３と先端部４に分離し、手元部３を筒状のケースに形成して、その内部に先端部４を収納できるようにしてもよい。
【００１９】
柄２の先端部４は、縦断面が矩形で、その１面には、植毛部５が設けられている。植毛部５は、弾性を有する複数の毛からなる毛束６を一定間隔で植毛したものである。植毛部５は、実施例では、毛束６が４列を形成しているが、４列に限定されず、３列でも５列でもよい。毛の径は、０．０１〜０．５ｍｍが好ましく、毛の材質は、人工毛（ナイロンなどの樹脂）、天然毛（白馬２毛、豚毛、馬毛など）が好ましい。毛束６と毛束６の間、及び列と列の間の隙間には、植毛部５の各毛束６の根本部分にヘアカラー剤を付着させて保持できるようになっている。
【００２０】
１つの毛束６は、５〜２０本の毛からなる。５本未満であると、毛の間に毛髪１本１本を通過させることができないため、５本以上とした。２０本を超えると、内部の毛までヘアカラー剤が達しなくなるため、２０本以下とした。なお、毛束６は、図のように矩形の束でもよいし、円形の束でもよい。
【００２１】
毛束６の高さＨは、５〜３０ｍｍである。５ｍｍ未満では毛先にまでヘアカラー剤が付着するうえ、十分に毛髪を梳くことができないので、５ｍｍ以上とした。３０ｍｍを超えると、毛髪を梳いても毛髪にヘアカラー剤が塗布されないので、３０ｍｍ以下とした。
【００２２】
植毛部５の列方向の寸法Ｌは、１０〜５０ｍｍとした。１０ｍｍ未満では、塗布できる範囲が少なく、塗布に時間がかかるので、１０ｍｍ以上とした。５０ｍｍを超えると、塗布範囲は広いが、細かい動きができなくなり、ブラッシングが困難で、取扱いも不便になるので、５０ｍｍ以下とした。
【００２３】
植毛部５の毛束６の列と列の間の隙間Ｂ、及び各列の毛束６と毛束６の間の隙間Ｃは、０．２〜２ｍｍである。隙間Ｂ，Ｃが０．２ｍｍ未満では十分な料のヘアカラー剤を付着できないので、０．２ｍｍ以上とした。２ｍｍを超えると、ヘアカラー剤が保持できなくなるので、２ｍｍ以下とした。
【００２４】
本考案の塗布具１の専用のヘアカラー剤は、植毛部５に留まりつつも、毛髪に伸びやすく、頭皮へ液垂れしない粘度を有し、具体的には、ヘアカラー剤の粘度は１００〜３０，０００ｃｐである。また、植毛部５の毛束を固めない成分組成を有する。また、ヘアカラー剤は、染色・着色成分の他に、加水分解ケラチンなどのハリコシ効果のある成分、加水分解コラーゲンなどの保湿成分、加水分解シルクなどのダメージ補修成分が配合されていると、より効果を高めることができる。
【００２５】
ヘアカラー剤は、チューブ容器、塗布具に内蔵した貯留部、塗布具１の柄２と一体の容器、カップ容器等に収容できる。チューブ容器の場合、注出口は先細りで、植毛部５の毛束６の列間に挿入できることが好ましい。
【００２６】
＜ヘアカラー剤塗布具の使用方法＞  
以上の基本構成を有する塗布具１は、図２に示すように、専用のヘアカラー剤７を植毛部５の毛束６の根本部分に付着させて使用する。具体的に説明すると、ヘアカラー剤７を収容したチューブ容器８の注出口９を毛束６の列と列の間で毛束６の根本部分に向けてヘアカラー剤７を押し出し、列の一端から他端に流し込むようにする。あるいは、チューブ容器８の注出口９を植毛部７の毛束６の列と列の間に挿入して列に沿って移動させながら押し出し、ヘアカラー剤７が毛束６の根本部分に付着するようにしてもよい。ここで、毛束６の先の部分にはヘアカラー剤７を付着させないことが重要である。本考案の塗布具１は、同じ列の毛束６と毛束６の間、列間の毛束６と毛束６の間に隙間があるので、毛束６の根本部分の周りに十分にヘアカラー剤７を付着させることができる。
【００２７】
ヘアカラー剤７を付着させた塗布具１は、毛髪をブラッシングするように梳くことにより、植毛部５の毛束６の根本部分に付着しているヘアカラー剤７が毛髪に塗布される。塗布具１は毛髪に対して多方向から動かすことができる。
【００２８】
図３に示すように、ヘアカラー剤７は植毛部７の毛束６の根本部分に付着していて、先の部分には付着していないので、頭皮１０にヘアカラー剤７が塗布されることはない。また、図４に示すように、ヘアカラー剤７が付着していない毛束６の先の部分で毛髪１１を梳かしながら根本部分のヘアカラー剤７を塗布できるため、毛髪１１の１本１本にヘアカラー剤７を塗布することができ、毛髪１１が束の状態で固まるようなことがなく自然に仕上げることができる。さらに、図５（a）に示すように、植毛部５の一側の端の列から他側の端の列に向かって塗布具１を動かしたり、図５（ｂ）に示すように、植毛部５の毛９束の列に沿って動かしたり、あるいは、斜めに動かすことにより、全方位から多方向に動かすことができるので、図５（ｃ）に示すように、毛髪１１の１本１本にヘアカラー剤７を塗布することができ、塗布ムラや塗布もれをなくすことができる。
【００２９】
本考案者は、本考案のヘアカラー剤塗布具１の効果を確認するための実験を行った。すなわち、マネキンの頭部に、人毛の白毛髪からなる毛髪の長さ１０ｃｍ、幅５ｃｍ、厚さ１ｃｍの毛髪束を１０束植毛した。この人工毛髪に、本考案の塗付具（考案例）と、一般的な塗布用ハケ（比較例）を用いてヘアカラー剤を塗布した。
【００３０】
図６に示すように、一般的な塗布用ハケ１’の植毛部５’は、柄２’の先端部４’に２ｃｍ×１ｃｍの範囲に高さ２ｃｍの毛を隙間なく植毛し、従来の筆タイプと同様に、毛の先端にヘアカラー剤７を付着するものとした。一方、本考案の塗付具は、一般的な塗布用ハケ１’と同じ範囲、同じ高さで、同じ材質の毛を用いて、毛束１本当たり１０本、１列当たり毛束１０束、計４列の毛束とし、毛束の根本部分にヘアカラー剤を付着するものとした。
【００３１】
ヘアカラー剤を塗布した後、塗布回数、塗布ムラ（内側、外側）、頭皮への塗付ミス数を計測し、仕上がりの自然さを評価した。塗布回数は、毛髪束を全体に着色するのに要した塗布作業の回数である。塗布ムラ（内側）は、毛髪束の外側全体を１００％とした場合の塗り残しの割合（％）であり、塗布ムラ（外側）は、毛髪束の内側全体を１００％とした場合の塗り残しの割合（％）である。頭皮への塗付ミス数は、頭皮に誤って塗布したヘアカラー剤の箇所数である。仕上がりの自然さは、美容師１０名に１００点満点で仕上がりの自然さを評価してもらい、その平均値をとった。結果は、表１に示す通りである。
【００３２】
【表１】
0003214364.tif 000003
【００３３】
表１に示すように、考案例では、塗布回数や外側の塗付ムラは比較例とほぼ変わらないものの、内側の塗付ムラ、頭皮への塗付ミスが少なく、仕上がりの自然さは圧倒的な優位を保っていることが分かった。
【００３４】
＜美容施術方法＞
次に、本考案のヘアカラー剤塗布具１を用いた白毛髪染の美容施術方法について説明する。美容施術方法は、部分的に白毛髪のある高齢者、毛髪の一部を種々のカラーに毛染めしてファッションとして楽しむ人の美容施術に適している。
【００３５】
美容施術方法は、塗布具の植毛部の各毛束の根本部分にヘアカラー剤を付着させる工程と、塗布具の柄を把持し、植毛部の先端を被施術者の毛髪に当てて植毛部で毛髪を梳くようにして、多方向から被施術者の毛髪の必要な個所に植毛部に付着させたヘアカラー剤を塗布する工程とを含む。施術前の準備として、被施術者の毛髪は、事前に洗毛髪され、ブラッシングされていることは言うまでもない。
【００３６】
ヘアカラー剤を付着させる工程は、既に述べたように、植毛部の毛束の根本部分にヘアカラー剤を付着させることが重要であり、先端部には付着させないことに注意する必要がある。植毛部にヘアカラー剤を付着させる場合、専用のチューブ容器に収容したヘアカラー剤を使用することが好ましい。ヘアカラー剤を付着させるとき、塗布部の植毛部の列に沿って付着させるとよい。
【００３７】
ヘアカラー剤を塗布する工程では、従来のマスカラタイプや、筆タイプ、くしタイプ、固形ファンデーションタイプのような一方向だけでなく、本考案の塗付具は毛染の部分に合わせて多方向に動かすことができる。すなわち、塗布具の先端部の第２部分から第１部分に向かって塗布具を動かしたり、塗布具の植毛部の一方の最外側の列から他方の最外側の列に向かう方向及びその反対方向に前記塗布具を動かして、ヘアカラー剤を塗布することができる。また、被施術者の好みのスタイリングになるように、塗布具を曲線的、あるいは斜めに動かすともできる。
【００３８】
＜変形例＞
本考案のヘアカラー剤塗布具は、前記実施形態に限らず、以下に説明するように種々の変形例を採用できる。
【００３９】
図７は、柄２の先端部４の植毛部５の近傍に設けた注入口１２から、植毛部５の毛束６の列の間の隙間に設けた複数の吐出口１３に至るヘアカラー剤導入路１４を形成したものである。ヘアカラー剤７を収容したチューブ容器８の注出口９を柄２のヘアカラー剤導入路１４の注入口１２に差し込み、ヘアカラー剤７を押し出してヘアカラー剤導入路１４を通って吐出口１３から吐出させる。この変形例によれば、ヘアカラー剤７を植毛部５の毛束６の根本部分に確実にかつ均一に付着させることができる。
【００４０】
図８は、図７の塗布具と同様に、柄２の先端部４にヘアカラー剤導入路１４と吐出口１３を設けるが、ヘアカラー剤導入路１４には注入口がなく、ヘアカラー剤導入路１４の入口１５と柄２に内蔵したヘアカラー剤貯留部１６とを連通させ、ヘアカラー剤貯留部１６に設けたプッシュボタン１７等の吐出機構によって外部操作により、ヘアカラー剤貯留部１６内のヘアカラー剤７をヘアカラー剤導入路１４に押し出して、吐出口１３から吐出させる。この変形例でも、ヘアカラー剤７を植毛部５の毛束６の根本部分に確実にかつ均一に付着させることができるとともに、簡単な外部操作で植毛部５にヘアカラー剤７を補充して付着させることができ、しかも別途チューブ容器を備える必要がなく、取扱い易く携行に便利である。
【００４１】
図９は、図８と同様に、先端部４にヘアカラー剤導入路１４と吐出口１３を設けるが、先端部４より下方部分に柄がなく、その代わりにヘアカラー剤７を収容したチューブ容器１８の口部１９をねじなどで着脱可能に接続したものである。先端部４の端面に開口するヘアカラー剤導入路１４の入口１５とチューブ容器１８の口部１９を連通させ、チューブ容器１８内のヘアカラー剤７をヘアカラー剤導入路１４に押し出すと、吐出口１３からヘアカラー剤７を吐出させることができる。この変形例でも、ヘアカラー剤７を植毛部５の毛束６の根本部分に確実にかつ均一に付着させることができるとともに、使いきったチューブ容器１８を新しいものと交換することができ、しかも取扱い易く携行に便利である。
【００４２】
図１０は、柄２の先端部４に、植毛部５の全範囲を囲むように、皿状の凹部２０を形成し、この凹部２０にチューブ容器８から吐出したヘアカラー剤７を溜めておくことができるようにしたものである。この変形例によれば、図示するように、凹部２０の縁の１箇所にチューブ容器８からヘアカラー剤７を押し出せば、凹部２０全体にヘアカラー剤７を導き、毛束６の根本部分に確実にかつ均一の付着させることができる。なお、凹部２０は植毛部５の全体を囲むものでなくとも、毛束６の列と列の間の隙間に溝状に形成することもできる。
【００４３】
図１１は、植毛部５の先端が使用者又は被施術者の頭の形に沿うように、植毛部７の中央部に位置する毛束６の高さを両端部に位置する毛束６の高さより低くしたものである。この変形例によれば、頭皮１０に近い毛髪の生え際でも塗布ムラなく均一に塗布することができる。
【００４４】
図１２は、柄２の先端部４を円柱状、すなわち横断面が円形になるようにし、先端部４の全周３６０°にわたって毛束６を植毛したものである。この変形例によれば、全周の植毛部５を使用できるので、毛髪のどのような箇所でも手を持ち換えることなく、毛染めを行うことができる。また、毛髪を植毛部５に巻き付けて、カールさせることも可能である。
【００４５】
図１３は、植毛部５の両端と中央の３箇所に高さが毛束６よりも高いガイド棒２１を設けたものである。ガイド棒２１は、毛束６の毛より太くて剛性が高い樹脂から形成されている。ガイド棒２１の先端は、頭皮１０に当たっても痛くないように丸みが形成されている。ガイド棒２１は、植毛部５の両端の２箇所に設けてもよい。この変形例によれば、植毛部５の先端が頭皮１０につかないため、頭皮１０にヘアカラー剤が付着するのを防止することができる。
【００４６】
図１４は、柄２の先端部４を、柄２の手元側に位置し、毛先側から見て矩形の第１部分４ａと、該第１部分４ａより先端側に位置し、毛先側から見て三角形の第２部分４ｂとで構成したものである。第２部分４ｂは、第１部分４ａより幅が先端に向かって漸次狭くなり、第１部分４ａより植毛部７の列が少なくなっている。第２部分４ｂは、三角形でなくても、図１５に示すように、第１部分４ａよりも幅が狭い矩形でもよい。また、第２部分４ｂは、図１６に示すように、植毛部５と反対側に屈曲又は湾曲するように反らせもよい。この実施例によれば、第２部分４ｂから第１部分４ａの方向に塗布具１を動かして、前頭部から後頭部に向かって、毛髪にヘアカラー剤７を塗布することができる。また、先端部４の第２部分４ｂの少ない毛束６を使用して、細かい塗布作業を行うことができる。
【符号の説明】
【００４７】
１  ヘアカラー剤塗布具
２  柄
３  手元部
４  先端部
４ａ  第１部分
４ｂ  第２部分
５  植毛部
６  毛束
７  ヘアカラー剤
【図１】
0003214364.tif 000004
【図２】
0003214364.tif 000005
【図３】
0003214364.tif 000006
【図４】
0003214364.tif 000007
【図５】
0003214364.tif 000008
【図６】
0003214364.tif 000009
【図７】
0003214364.tif 000010
【図８】
0003214364.tif 000011
【図９】
0003214364.tif 000012
【図１０】
0003214364.tif 000013
【図１１】
0003214364.tif 000014
【図１２】
0003214364.tif 000015
【図１３】
0003214364.tif 000016
【図１４】
0003214364.tif 000017
【図１５】
0003214364.tif 000018
【図１６】
0003214364.tif 000019